(57)【要約】【課題】利用者の位置と視認可能な視角範囲との対応を容易に行える表示装置を提供する。【解決手段】表示装置に設置された角度検出部によって基体または表示部に対する遠隔操作装置の相対的な角度を検出し、検出結果に基づいて表示部の角度調節を行う。このため、利用者が表示部の向きを確認することなく、表示部の角度を調節できる。角度検出は、例えば、遠隔操作装置に設置された発光素子からの発光をアレー状の受光素子で受光することで行える。【選択図】図１
2005099520.tif 000002
【特許請求の範囲】
【請求項１】
遠隔操作装置から操作される表示装置であって、
基体と、
前記基体と回転可能に接続され、かつ所定の視角範囲内で視認可能な視角特性を有する表示部と、
前記遠隔操作装置から送信される操作信号を受信する受信部と、
前記基体または前記表示部に対する前記遠隔操作装置の相対的な角度を検出する角度検出部と、
前記受信部が受信した操作信号および前記角度検出部による角度の検出結果に基づいて、前記基体に対する前記表示部の角度が前記所定の視角範囲内となるように調節する角度調節部と、
を具備することを特徴とする表示装置。
【請求項２】
前記操作信号が、前記表示部の角度の調節を指令する角度調節指令情報を含む
ことを特徴とする請求項１記載の表示装置。
【請求項３】
前記操作信号が、前記遠隔操作装置に対する前記表示部の角度を指定する角度指定情報を含む
ことを特徴とする請求項１記載の表示装置。
【請求項４】
前記表示部が、前基体と２軸で回転可能に接続され、
前記角度調節部が、前記表示部の角度を２軸で調節する
ことを特徴とする請求項１記載の表示装置。
【請求項５】
遠隔操作装置から操作される表示装置であって、
表示部と、
前記遠隔操作装置から送信される操作信号を受信する受信部と、
前記表示部に対する前記遠隔操作装置の相対的な角度を検出する角度検出部と、
前記受信部が受信した操作信号および前記角度検出部による角度の検出結果に基づいて、前記表示部の視角特性を調節する視角調節部と、
を具備することを特徴とする表示装置。
【発明の詳細な説明】
【技術分野】
【０００１】
本発明は、視角特性を有する表示装置に関する。
【背景技術】
【０００２】
画像を表示する表示装置が視野特性を有する場合がある。視野特性を有する表示装置では所定の視角範囲内では表示内容を視認できるが、この範囲を越えると表示内容の視認が困難となる。このような視角特性は、例えば液晶表示装置での透過率の角度依存性から生じる。視角特性は複数の利用者が一度に表示装置を利用する上では好ましくないが、特定の利用者にのみ視認可能とし、第三者には視認不能として情報の秘匿性（セキュリティ）の向上を図ることができる。このため、視認可能な視角範囲を意図的に制限した狭視角の表示装置、さらには狭視角、非狭視角を切換可能な表示装置も用いられている。
視角特性を有する表示装置を利用する場合には、必要に応じて、視認良好な視角範囲内に利用者が位置するように、表示装置の向きの調節、または利用者の移動を行う。
一方、表示装置には、無線通信（例えば、電波（BlueTooth等）、赤外線）によって、遠隔操作が可能なものがある。このため、表示装置を遠隔操作することでその向きを変更する技術が開示されている（特許文献１参照）。この場合には、利用者が自分に対する表示装置の向きを確認し、適正な角度となるようにその向きを調節することになる。
【特許文献１】特開平５−１０８０１３号公報
【発明の開示】
【発明が解決しようとする課題】
【０００３】
しかしながら、利用者が表示装置の向きを確認して、その向きを調節するのは煩雑である。
上記に鑑み、本発明は利用者の位置と視認可能な視角範囲との対応を容易に行える表示装置を提供することを目的とする。
【課題を解決するための手段】
【０００４】
Ａ．上記目的を達成するために、本発明に係る表示装置は、遠隔操作装置から操作される表示装置であって、基体と、前記基体と回転可能に接続され、かつ所定の視角範囲内で視認可能な視角特性を有する表示部と、前記遠隔操作装置から送信される操作信号を受信する受信部と、前記基体または前記表示部に対する前記遠隔操作装置の相対的な角度を検出する角度検出部と、前記受信部が受信した操作信号および前記角度検出部による角度の検出結果に基づいて、前記基体に対する前記表示部の角度が前記所定の視角範囲内となるように調節する角度調節部と、を具備することを特徴とする。
角度検出部によって基体または表示部に対する遠隔操作装置の相対的な角度を検出し、検出結果に基づいて表示部の角度調節を行う。このため、利用者が表示部の向きを確認することなく、表示部の角度を調節できる。角度検出は、例えば、遠隔操作装置に設置された発光素子からの発光をアレー状の受光素子で受光することで行える。
【０００５】
（１）前記操作信号が、前記表示部の角度の調節を指令する角度調節指令情報を含んでもよい。
表示部の角度調節は角度調節指令情報を含む操作信号を遠隔操作装置から送信することで行える。例えば、遠隔操作装置に設置された角度調節のための操作ボタンを利用者が押すことで表示部の角度調節を行える。
これに対して、このような特定の操作信号の送信の有無に拠らず、操作信号一般が遠隔操作装置から送信されることで表示部の角度調節を行ってもよい。このときには、利用者が角度調節を特に意識しなくても、表示部の角度調節が行われる。
【０００６】
（２）前記操作信号が、前記遠隔操作装置に対する前記表示部の角度を指定する角度指定情報を含んでもよい。
利用者が、角度を指定して表示部の角度を調節することができる。
【０００７】
（３）前記表示部が、前基体と２軸で回転可能に接続され、前記角度調節部が、前記表示部の角度を２軸で調節してもよい。
表示部が、前基体と２軸で回転可能に接続されてもよい。このときには、角度の検出も２軸で行われることが好ましい。
【０００８】
Ｂ．本発明に係る表示装置は、遠隔操作装置から操作される表示装置であって、表示部と、前記遠隔操作装置から送信される操作信号を受信する受信部と、前記表示部に対する前記遠隔操作装置の相対的な角度を検出する角度検出部と、前記受信部が受信した操作信号および前記角度検出部による角度の検出結果に基づいて、前記表示部の視角特性を調節する視角調節部と、を具備することを特徴とする。
角度検出部によって基体または表示部に対する遠隔操作装置の相対的な角度を検出し、検出結果に基づいて表示部の視角特性の調節を行う。このため、利用者が表示部の向きを確認する必要がない。
【発明の効果】
【０００９】
以上説明したように、本発明によれば利用者の位置と視認可能な視角範囲との対応を容易に行える表示装置を提供できる。
【発明を実施するための最良の形態】
【００１０】
以下、図面を参照して、本発明の実施の形態を詳細に説明する。
（第１の実施の形態）
図１〜３は、本発明の第１実施形態に係る表示システム１０を正面、側面、および上面から見た状態表す正面図、側面図、および上面図である。また図４は、表示システム１０の内部構成を表すブロック図である。
表示システム１０は、遠隔操作装置２０および表示装置本体３０から構成され、遠隔操作装置２０によって表示装置本体３０を遠隔操作可能となっている。
【００１１】
遠隔操作装置２０は、操作ボタン２１，制御部２２，発光素子２３を有するいわゆるリモコンであり、表示装置本体３０との無線通信（本実施形態では、光（赤外線）通信）によって表示装置本体３０を遠隔操作することができる。
操作ボタン２１は、表示装置本体３０を操作するための操作情報を入力するための情報入力部である。利用者が操作ボタン２１を押すことで操作情報の入力が行われ、表示装置本体３０を操作することができる。操作ボタン２１の押下に対応して操作情報が入力される。例えば、表示装置本体３０がテレビ受像器のときには表示内容の切換、角度の調節等を行う。
制御部２２は、操作ボタン２１で入力された操作情報に基づき、発光素子２３を点滅して、表示装置本体３０に操作情報を送信する。
発光素子２３は、例えば、ＬＥＤ（Light Emitting Diode）であり、制御部によって点滅されることで、表示装置本体３０に操作情報を伝達する。
【００１２】
表示装置本体３０は、基体３１，回転動作部３２，アーム３３，表示部３４，光検出器３５，３６を有し、遠隔操作装置２０からの遠隔操作により、表示内容の切換、角度の調節等が可能である。
基体３１は、表示装置本体３０全体の支えであり、その内部に角度算出部４１，回転指令部４２，回転情報記憶部４３を有する。但し、角度算出部４１，回転指令部４２，回転情報記憶部４３は表示装置本体３０に配置されてもよい。
回転動作部３２は、電気モータ等により表示部３４を基体３１に対して回転させる回転駆動機構であり（回転軸Ｒ１を軸として回転）、回転指令部４２からの指令により動作する角度調節部として機能する。なお、必要に応じて、基体３１に対する表示部３４の角度θ１が例えばロータリーエンコーダ等により検出される。
アーム３３は、回転動作部３２と表示部３４とを接続する接続機構である。
【００１３】
表示部３４は、その表示領域３８に文字、映像等を表示する表示装置である。表示部３４は所定の視角特性を有すれば特に限定されない。例えば、液晶表示装置のようにそれ自体が視角特性を有する表示装置でも良いし、視認可能な視野角を意図的に制限した狭視角の表示装置でもよい。また、狭視角、非狭視角を切換可能な表示装置でも差し支えない。一例として、ＣＲＴ（陰極線管）、ＰＤＰ（プラズマ・ディスプレイ・パネル）に視角特性を付与するフィルタを付加したものでも表示部３４として利用できる。
光検出器３５は、発光素子２３から出射された赤外線を受光し電気信号に変換する素子であり、発光素子２３から送信された操作情報を受信する光受信器として機能する。
【００１４】
光検出器３６は、発光素子２３から出射された赤外線を受光することで、角度算出部４１による遠隔操作装置２０の角度の算出を可能とするものである。
光検出器３６は、例えば、結像素子（例えば、レンズ）、受光面に形成されたアレー型の受光素子（例えば、ＣＣＤ）から構成できる。結像素子により発光素子２３の像を受光面上に形成し、受光面上でのその像の位置をアレー型の受光素子で検出する。角度算出部４１が、受光面上での像の位置を角度に変換することで表示装置本体３０に対する遠隔操作装置２０の角度を算出できる。
アレー型の受光素子として受光素子が１次元方向に配置されたものを用いることで、遠隔操作装置２０の角度θを算出できる。また、アレー型の受光素子として受光素子が２次元方向に配置されたものを用いると、遠隔操作装置２０の２軸での角度θ、φを算出できる。即ち、本実施形態では、アレー型の受光素子として１次元、２次元いずれを用いてもよい。
【００１５】
角度算出部４１は，光検出器３５からの検出結果に基づき、表示装置本体３０に対する遠隔操作装置２０の角度を算出するものであり、角度検出部として機能する。具体的には、光検出器３６の受光素子からの画像情報を画像処理等することで発光素子２３の像の中心位置を求め、さらにこの中心位置を角度に変換処理する。
【００１６】
回転指令部４２は，角度算出部４１からの角度算出結果、回転情報記憶部４３等に基づき、回転動作部３２に動作を指令する。
回転情報記憶部４３は、例えば、表示部３４に対する遠隔操作装置２０の最適角度等を記憶する。遠隔操作装置２０の最適角度として、表示部３４の表示面に対する垂直方向を挙げることができる。最適角度には、垂直方向からずれた角度を設定することもできる。例えば、利用者の利き腕に遠隔操作装置２０が保持されるとして、この位置と利用者の目の位置との相違を考慮して垂直からずらした角度を設定できる。この角度は予め回転情報記憶部４３に記憶させておいてもよいし、利用者が遠隔操作装置２０を用いて適宜に入力、設定することもできる。
【００１７】
（表示システム１０の動作）
表示システム１０の動作について説明する。
まず、遠隔操作装置２０から送信される指令により表示装置本体３０の向きを調整する場合を説明する。
Ａ．最適角度への自動調節
（１）遠隔操作装置２０から表示装置本体３０に角度調節指令情報が送信される。
角度調節指令情報は、遠隔操作装置２０、ひいては利用者に対する表示部３４の角度の角度を調節する指令を表す情報である。
この角度調節指令情報の送信は、利用者が所定の操作ボタン２１を操作することで制御部２２から発せられた制御情報により発光素子２３が点滅することで行われる。
【００１８】
なお、角度調節指令情報の出力は利用者がいずれか任意の操作ボタン２１を操作することで行われてもよい。例えば、利用者が表示装置本体３０の表示内容を切り換えるために操作ボタン２１を操作することで行われてもよい。このような場合には、１つの信号が２つの情報（表示内容の切換、角度の調節）の双方を意味することが許容され、遠隔操作装置２０からの送信の効率化が図ることができる。
【００１９】
（２）表示装置本体３０が角度調節指令情報を受信する。
光検出器３５が発光素子２３からの点滅を検出することで、角度調節指令情報の受信が行われる。
（３）表示部３４と遠隔操作装置２０との相対的な角度が算出される。
表示装置本体３０は、表示部３４の回転に先立って、表示部３４と遠隔操作装置２０との相対的な角度を算出する。
この算出には、光検出器３６からの出力に基づいて行われる。即ち、光検出器３６上に形成された発光素子２３の像に対応して、光検出器３６から信号が出力される。そして、角度算出部４１がこの信号を処理することで、発光素子２３の像の中心点の位置を算出し、さらにこの位置情報を角度情報に変換することで表示部３４と遠隔操作装置２０との相対的な角度が算出される。
【００２０】
（４）表示部３４が回転する。
この回転は回転指令部４２の指令に従って回転動作部３２が動作することで行われる。即ち、回転指令部４２は算出された表示部３４と遠隔操作装置２０との相対的な角度と回転情報記憶部４３に記憶された最適角度とを比較し、回転動作部３２の回転方向および回転角度を決定する。この決定により回転動作部３２が動作することで表示部３４が回転する。表示部３４が遠隔操作装置２０から見て適正な方向（例えば、遠隔操作装置２０の正面）に向けられ、表示部３４の視認可能な視角範囲内に遠隔操作装置２０が位置するようになる。
【００２１】
以上のように、遠隔操作装置２０から角度調節指令情報を送信することで、遠隔操作装置２０と表示装置本体３０の位置関係に対応して表示部３４が回転される。この結果、表示部３４の視認可能な視角範囲内に遠隔操作装置２０を位置させて、利用者による表示部３４の表示内容の視認を可能とし、かつ第三者の視認を防止して表示内容の機密性を保持できる。
また、遠隔操作装置２０からいずれかの操作信号が送信されることに対応して、表示部３４の角度を調整することもできる。この場合には、利用者が表示部３４を回転するための操作を意識して行わなくても、表示部３４の向きを利用者に対応させることができる。
【００２２】
Ｂ．角度の微調節
遠隔操作装置２０から表示部３４の角度を微調節することもできる。
（１）遠隔操作装置２０から表示装置本体３０に角度変化指令情報が送信される。
角度変化指令情報は、遠隔操作装置２０、ひいては利用者に対する表示部３４の角度を設定する指令を表す情報である。
この角度変化指令情報の送信は、利用者が所定の操作ボタン２１を操作することで制御部２２から発せられた制御情報により発光素子２３が点滅することが行われる。このとき、必要に応じて、回転角の入力および送信が行われる。
【００２３】
（２）表示装置本体３０が角度変化指令情報を受信する。
光検出器３５が発光素子２３からの点滅を検出することで、角度変化指令情報の受信が行われる。
（３）表示部３４が回転する。
この回転は受信された角度変化指令情報に従って回転動作部３２が動作することで行われる。このとき、回転角を指定する情報が含まれていたときには、その回転角に従って表示部３４が回転される。
表示部３４の視認可能な視角範囲に遠隔操作装置２０が位置するので、遠隔操作を行っている位置から、表示部３４の表示内容の視認性を確認しながら表示部３４の向きを調節できる。
【００２４】
（第２の実施の形態）
本発明の第２の実施形態を説明する。
図５は、本発明の第２実施形態に係る表示システム１０ａを側面から見た状態を表す側面図である。
表示システム１０ａでは、アーム３３ａ表示部３４との間に回転動作部３７を有する。即ち、第１の実施形態での表示装置本体３０の表示部３４の回転が回転動作部３２により１軸Ｒ１で行われるのに対して、本実施形態での表示装置本体３０ａの表示部３４の回転は回転動作部３２、３７により、２（回転軸Ｒ１，Ｒ２）で行われる。
また、光検出器３６ａからの検出結果に基づき角度算出部４１が算出する角度も２軸となる。このため、光検出器３６ａにはアレー状の受光素子として２次元配列のものを用い。光検出器３６ａの受光面上で発光素子２３の像の２次元的な位置から発光素子２３の２軸方向の角度を算出する。これに基づいて、回転動作部３２、３５の回転動作が行われる。
その他の点では、本実施形態は第１の実施形態と本質的に相違するものではないので、記載を省略する。
【００２５】
（その他の実施形態）
本発明の実施形態は上記の実施形態に限られず拡張、変更可能であり、拡張、変更した実施形態も本発明の技術的範囲に含まれる。
（１）視角特性を有する表示装置一般を本発明に適用可能である。この表示装置には液晶表示装置のようにそれ自体が本来的に視角特性を有するものの他に、それ自体はさほどの視角依存性を有しない表示装置、例えば、ＣＲＴ、ＰＤＰ等に視角特性を付与したものも含まれる。視角特性の付与は、例えば、表示装置の表示面上に、透過特性に視角依存性のある板、フィルム等を貼り付けることで行える。この板、フィルムの例として、液晶素子が考えられる。
【００２６】
（２）上記実施形態では発光素子２３からの発光により遠隔操作装置２０の方向を検出していたが、他の手段、例えば、遠隔操作装置から超音波を発射することで遠隔操作装置の方向を検出することもできる。
（３）上記実施形態では発光素子２３を通信と方向の検出の双方に兼用しているが、通信手段と方向検出手段を分離することもできる。例えば、通信をBluetooth等電波によって行うこともできる。
【００２７】
（４）上記実施形態では光検出器３５，３６それぞれを通信と方向の検出とに区分して用いているが、単一の光検出器を通信と方向の検出の双方に兼用することもできる。
（５）上記実施形態では光検出器３６を表示部３４に取り付けていたことから、表示部３４に対する遠隔操作装置２０の角度を検出しているが、これに換えて光検出器３６を基体３１に取り付けて基体３１に対する遠隔操作装置２０の角度を検出してもよい。基体３１に対する表示部３４の角度をロータリーエンコーダ等で別途検知すれば、遠隔操作装置２０の位置に対応するように表示部３４を回転することができる。
【００２８】
（６）上記実施形態では、表示部を回転することで、利用者の位置と表示装置の視認可能な範囲とを対応させていたが、これに換えて表示装置の視角特性を制御することも可能である。このようにすると、壁掛けテレビのように壁面に取り付けた表示装置が回転機構を有しない場合にも利用者の位置に応じて視認可能とすることができる。
【００２９】
視角特性の制御は、例えば、液晶表示装置の配向膜を複数の領域に区画して、それぞれの領域の配向方向を異ならせ、かつそれぞれの領域に印加する電圧を調整することで実現可能である。配向膜上の配向処理の方向により液晶表示装置の視野角が異なることを用いて視角特性を制御できる。即ち、それぞれの領域への印加電圧を、その配向方向に対応して制御することで、視認性の良好な視角範囲を左右にずらせることができる。
表示装置の利用者が左右に移動した場合に、この移動に対応して視角特性を制御して、利用者が表示内容を視認可能な状態に保つことが可能となる。
【図面の簡単な説明】
【００３０】
【図１】本発明の第１実施形態に係る表示システムを正面から見た状態を表す正面図である。
【図２】本発明の第１実施形態に係る表示システムを側面から見た状態を表す側面図である。
【図３】本発明の第１実施形態に係る表示システムを上面から見た状態を表す上面図である。
【図４】本発明の第１実施形態に係る表示システムの内部構成を表すブロック図である。
【図５】本発明の第２実施形態に係る表示システムを側面から見た状態を表す側面図である。
【符号の説明】
【００３１】
１０…表示システム、２０…遠隔操作装置、２１…操作ボタン、２２…制御部、２３…発光素子、３０…表示装置本体、３１…基体、３２…回転動作部、３３…アーム、３４…表示部、３５…光検出器、３６…光検出器、４１…角度算出部、４２…回転指令部、４３…回転情報記憶部
【図１】
2005099520.tif 000003
【図２】
2005099520.tif 000004
【図３】
2005099520.tif 000005
【図４】
2005099520.tif 000006
【図５】
2005099520.tif 000007